(57)【要約】【課題】ＩＣに用いる回路を構成するために必要となる部品を容易に選択することができる部品選択支援システム及び部品選択支援方法を提供する。【解決手段】部品選択支援システム１０は、（ａ）ＩＣ型番と、ＩＣ型番のＩＣに用いる回路を構成するために必要となる部品の部品型番及び員数とを対にして記憶している回路データベース２７と、（ｂ）ＩＣ型番の入力を受け付けるＩＣ型番入力受付部２２と、（ｃ）回路データベース２７を検索して、ＩＣ型番入力受付部２２が入力を受け付けたＩＣ型番と対にして記憶されている部品型番及び員数を抽出する部品検索部２３と、（ｄ）部品検索部２３が抽出した部品型番及び員数に基づいて、ＩＣ型番のＩＣに用いる回路を構成するために必要となる部品の部品型番及び員数を含む部品リストを作成するためのデータを出力する部品リストデータ出力部２５とを備える。【選択図】図１
2015055903.tif 000002
【特許請求の範囲】
【請求項１】
ＩＣ型番と、前記ＩＣ型番のＩＣに用いる回路を構成するために必要となる部品の部品型番及び員数とを対にして記憶している回路データベースと、
前記ＩＣ型番の入力を受け付けるＩＣ型番入力受付部と、
前記回路データベースを検索して、前記ＩＣ型番入力受付部が入力を受け付けた前記ＩＣ型番と対にして記憶されている前記部品型番及び員数を抽出する部品検索部と、
前記部品検索部が抽出した前記部品型番及び員数に基づいて、前記ＩＣ型番入力受付部が入力を受け付けた前記ＩＣ型番の前記ＩＣに用いる前記回路を構成するために必要となる前記部品の前記部品型番及び員数を含む部品リストを作成するためのデータを出力する部品リストデータ出力部と、
を備えたことを特徴とする、部品選択支援システム。
【請求項２】
前記回路データベースに記憶されている前記部品型番の前記部品と互換・代替関係がある他の部品の部品型番と前記互換・代替関係の属性とを記憶している互換・代替データベースと、
前記互換・代替データベースを検索して、前記部品検索部が抽出した前記部品型番の前記部品と前記互換・代替関係にある前記他の部品の前記部品型番と前記互換・代替関係の前記属性とを抽出する互換・代替部品検索部と、
をさらに備え、
前記部品リストデータ出力部は、前記互換・代替部品検索部が抽出した前記他の部品の前記部品型番及び前記属性を前記部品リストに含めるためのデータを出力することを特徴とする、請求項１に記載の部品選択支援システム。
【請求項３】
前記部品リストデータ出力部が出力した前記データに基づいて作成される前記部品リストに含まれる前記部品型番について、発注数量の入力を受け付ける一括発注受付部を、さらに備えたことを特徴とする、請求項１又は２に記載の部品選択支援システム。
【請求項４】
ＩＣ型番と、前記ＩＣ型番のＩＣに用いる回路を構成するために必要となる部品の部品型番及び員数とを対にして記憶している回路データベースを準備する回路データ準備ステップと、
前記ＩＣ型番の入力を受け付けるＩＣ型番入力ステップと、
前記回路データベースを検索して、前記ＩＣ型番入力ステップが入力を受け付けた前記ＩＣ型番と対にして記憶されている前記部品型番及び員数を抽出する検索ステップと、
前記検索ステップが抽出した前記部品型番及び員数に基づいて、前記ＩＣ型番入力ステップが入力を受け付けた前記ＩＣ型番の前記ＩＣに用いる前記回路を構成するために必要となる前記部品の前記部品型番及び員数を含む部品リストを出力する部品リスト出力ステップと、
を備えたことを特徴とする、部品選択支援方法。
【請求項５】
前記回路データベースに記憶されている前記部品型番の前記部品と互換・代替関係がある他の部品の部品型番と前記互換・代替関係の属性とを記憶している互換・代替データベースを準備する互換・代替データベース準備ステップと、
前記互換・代替データベースを検索して、前記検索ステップで抽出した前記部品型番の前記部品と前記互換・代替関係にある前記他の部品の前記部品型番と前記互換・代替関係の前記属性とを抽出する互換・代替検索ステップと、
をさらに備え、
前記部品リスト出力ステップにおいて、前記互換・代替検索ステップで抽出した前記他の部品の前記部品型番及び前記属性が含まれる前記部品リストを出力することを特徴とする、請求項４に記載の部品選択支援方法。
【請求項６】
前記部品リスト出力ステップで出力された前記部品リストに含まれる前記部品型番について、発注数量の入力を受け付ける発注受付ステップを、さらに備えたことを特徴とする、請求項４又は５に記載の部品選択支援方法。
【発明の詳細な説明】
【技術分野】
【０００１】
本発明は、部品選択支援システム及び部品選択支援方法に関する。
【背景技術】
【０００２】
従来、情報システムを用いた部品の統合管理・調達システムが提案されている。
【０００３】
例えば図１０のブロック図に示すシステムでは、部品ユーザ１０２の端末と、部品メーカ１０３又は部品メーカの一時代理店の端末とがコンピュータネットワークに接続され、コンピュータネットワークには、部品データベースを有する管理サーバを接続されたウェブサイト１１０がある。部品メーカ１０３又は部品メーカの一時代理店は、自社部品に関する部品情報を部品データベースに登録する。部品ユーザ１０２は、部品名の入力によって前記部品情報の中から最適な部品を選択して部品単位で発注する。ウェブサイト１１０は、市場の製品全般の需要と部品の生産と需要の関係情報を基に、ＰＩＤ手法等による分析結果によって発注調整を行う。（例えば、特許文献１参照）
【先行技術文献】
【特許文献】
【０００４】
【特許文献１】特開２００２−２４３３４号公報
【発明の概要】
【発明が解決しようとする課題】
【０００５】
電子・電気機器の機器メーカ等が部品を購入して製品を組み立てて販売するような場合、一般には、まず設計段階で、設計者が所望の仕様や機能などから基幹部品たるＩＣ型番を決める。そして、選択したＩＣに用いる回路の構成及びその回路を構成するために必要となる部品についてＩＣメーカによって提供されている推奨回路構成及び推奨部品表を参照しながら、選択したＩＣに用いる回路を構成するために必要となる部品を選定する。そして、試作段階では、取扱商社を探したり、直接、部品メーカ等に問い合わせたりして、部品を購入する。
【０００６】
図９は、部品調達の様子を示す説明図である。図９に示すように、まず、ユーザは、ＩＣメーカから得た推奨回路構成・推奨部品表を基に、部品の選定を行う。ＩＣメーカの推奨部品表に記載されている推奨部品は、部品メーカを指定せず、定格などの部品仕様のみを記載していることが一般的である。その場合、ユーザは個々に部品メーカＭ１〜Ｍ４のウェブサイトやカタログを調べ、適合する品名を特定する必要がある。試作を前にした部品調達の段階において、特に中小企業ユーザは、すべての部品メーカと直接取引している場合は殆どなく、多くの場合、ユーザは商社（代理店）Ａ１〜Ａ２を通じて部品を入手する必要がある。図９では、商社代理店Ａ１は、部品メーカＭ３の製品を取り扱っていない。このような場合、ユーザは、部品メーカＭ３の製品を取り扱う商社（代理店）を調べ、商社（代理店）Ａ２を通じて、部品メーカＭ３の製品を入手する必要がある。
【０００７】
場合によっては、ＩＣメーカの推奨部品表に特定の部品メーカの型番を指定されているケースもある。ユーザに十分な部品選定知識があれば、調達経路を考慮して、他の部品メーカの製品への置き換えを図ることは可能である。しかし、部品選定に割けるリソースの少ない機器メーカでは、他の部品メーカの製品への置き換えを図ることは困難である。
【０００８】
本発明は、かかる実情に鑑み、ＩＣに用いる回路を構成するために必要となる部品を容易に選択することができる部品選択支援システム及び部品選択支援方法を提供する。
【課題を解決するための手段】
【０００９】
本発明は、上記課題を解決するために、以下のように構成した部品選択支援システムを提供する。
【００１０】
部品選択支援システムは、（ａ）ＩＣ型番と、前記ＩＣ型番のＩＣに用いる回路を構成するために必要となる部品の部品型番及び員数とを対にして記憶している回路データベースと、（ｂ）前記ＩＣ型番の入力を受け付けるＩＣ型番入力受付部と、（ｃ）前記回路データベースを検索して、前記ＩＣ型番入力受付部が入力を受け付けた前記ＩＣ型番と対にして記憶されている前記部品型番及び員数を抽出する部品検索部と、（ｄ）前記部品検索部が抽出した前記部品型番及び員数に基づいて、前記ＩＣ型番入力受付部が入力を受け付けた前記ＩＣ型番の前記ＩＣに用いる前記回路を構成するために必要となる前記部品の前記部品型番及び員数を含む部品リストを作成するためのデータを出力する部品リストデータ出力部とを備えている。
【００１１】
上記構成によれば、部品選択支援システムは、ＩＣ型番の入力を受け付けると、入力されたＩＣ型番のＩＣに用いる回路を構成するために必要となる部品の部品型番及び員数を含む部品リストを作成するためのデータを出力する。端末から部品選択支援システムにＩＣ型番を入力すると、部品選択支援システムからのデータによって端末で部品リストを取得できるようにすることができる。部品選択支援システムを用いると、ユーザが端末からＩＣ型番を入力すると部品リストを取得できるため、ＩＣに用いる回路を構成するために必要となる部品を容易に選択することができる。
【００１２】
好ましくは、部品選択支援システムは、（ｅ）前記回路データベースに記憶されている前記部品型番の前記部品と互換・代替関係がある他の部品の部品型番と前記互換・代替関係の属性とを記憶している互換・代替データベースと、（ｆ）前記互換・代替データベースを検索して、前記部品検索部が抽出した前記部品型番の前記部品と前記互換・代替関係にある前記他の部品の前記部品型番と前記互換・代替関係の前記属性とを抽出する互換・代替部品検索部とをさらに備えている。前記部品リストデータ出力部は、前記互換・代替部品検索部が抽出した前記他の部品の前記部品型番及び前記属性を前記部品リストに含めるためのデータを出力する。
【００１３】
この場合、ＩＣに用いる回路を構成するために必要となる部品の選択範囲が、推奨部品のみならず、推奨部品と互換・代替可能な互換・代替部品まで拡大されるため、ＩＣに用いる回路を構成するために必要となる部品の選択がより容易になる。
【００１４】
好ましくは、部品選択支援システムは、（ｇ）前記部品リストデータ出力部が出力した前記データに基づいて作成される前記部品リストに含まれる前記部品型番について、発注数量の入力を受け付ける一括発注受付部をさらに備えている。
【００１５】
この場合、ユーザは、選択した部品を、部品選択支援システムから、一括して発注することができるので、部品調達時の負担が軽減される。
【００１６】
また、本発明は、上記課題を解決するために、以下のように構成した部品選択支援方法を提供する。
【００１７】
部品選択支援方法は、（ａ）ＩＣ型番と、前記ＩＣ型番のＩＣに用いる回路を構成するために必要となる部品の部品型番及び員数とを対にして記憶している回路データベースを準備する回路データ準備ステップと、（ｂ）前記ＩＣ型番の入力を受け付けるＩＣ型番入力ステップと、（ｃ）前記回路データベースを検索して、前記ＩＣ型番入力ステップが入力を受け付けた前記ＩＣ型番と対にして記憶されている前記部品型番及び員数を抽出する検索ステップと、（ｄ）前記検索ステップが抽出した前記部品型番及び員数に基づいて、前記ＩＣ型番入力ステップが入力を受け付けた前記ＩＣ型番の前記ＩＣに用いる前記回路を構成するために必要となる前記部品の前記部品型番及び員数を含む部品リストを出力する部品リスト出力ステップとを備えている。
【００１８】
上記方法によれば、ＩＣ型番の入力を受け付けると、入力されたＩＣ型番のＩＣに用いる回路を構成するために必要となる部品の部品型番及び員数を含む部品リストを出力する。部品選択支援方法によって、ユーザは、ＩＣ型番を入力することによって、部品リストを取得できるため、ＩＣに用いる回路を構成するために必要となる部品を容易に選択することができる。
【００１９】
好ましくは、部品選択支援方法は、（ｅ）前記回路データベースに記憶されている前記部品型番の前記部品と互換・代替関係がある他の部品の部品型番と前記互換・代替関係の属性とを記憶している互換・代替データベースを準備する互換・代替データベース準備ステップと、（ｆ）前記互換・代替データベースを検索して、前記検索ステップで抽出した前記部品型番の前記部品と前記互換・代替関係にある前記他の部品の前記部品型番と前記互換・代替関係の前記属性とを抽出する互換・代替検索ステップとをさらに備えている。前記部品リスト出力ステップにおいて、前記互換・代替検索ステップで抽出した前記他の部品の前記部品型番及び前記属性が含まれる前記部品リストを出力する。
【００２０】
この場合、ＩＣに用いる回路を構成するために必要となる部品の選択範囲が、推奨部品のみならず、推奨部品と互換・代替可能な互換・代替部品まで拡大されるため、ＩＣに用いる回路を構成するために必要となる部品の選択がより容易になる。
【００２１】
好ましくは、部品選択支援方法は、（ｇ）前記部品リスト出力ステップで出力された前記部品リストに含まれる前記部品型番について、発注数量の入力を受け付ける発注受付ステップをさらに備えている。
【００２２】
この場合、ユーザは、選択した部品を一括して発注することができるので、部品調達時の負担が軽減される。
【発明の効果】
【００２３】
本発明によれば、ＩＣに用いる回路を構成するために必要となる部品を容易に選択することができる。
【図面の簡単な説明】
【００２４】
【図１】部品選択支援システムを含む全体構成図である。（実施例１）
【図２】情報の送受信関係を示すブロック図である。（実施例１）
【図３】部品選択支援システムの動作を示すフローチャートである。（実施例１）
【図４】部品情報の説明図である。（実施例１）
【図５】部品についての資料例を示す説明図である。（実施例１）
【図６】参照テーブルの説明図である。（実施例１）
【図７】部品リストの画面表示例を示す説明図である。（実施例１）
【図８】部品メーカとＩＣメーカとの情報通信関係を示すブロック図である。（変形例１）
【図９】部品調達の説明図である。（説明例）
【図１０】統合管理・調達システムのブロック図である。（従来例１）
【発明を実施するための形態】
【００２５】
以下、本発明の実施の形態について、図１〜図８を参照しながら説明する。
【００２６】
＜実施例１＞  実施例１の部品選択支援システム１０について、図１〜図７を参照しながら説明する。
【００２７】
図１は、部品選択支援システム１０を含む全体構成図である。図１に示すように、部品選択支援システム１０は、インターネットやＬＡＮ等の通信網１２を介して、ユーザの端末１４と、部品メーカの端末１６と、ＩＣメーカの端末１８とに接続される。端末１４，１６，１８は、各１台を図示しているが、複数台でもよい。端末１４，１６，１８は、デスクトップＰＣ（パソコン）、ノートＰＣ、タブレット端末等のコンピュータであり、ディスプレイ等の表示装置や、キーボードやマウス等の入力装置などを備えている。端末１４，１６，１８は、ブラウザを介して、あるいは専用のアプリケーションソフトウェアを介して、部品選択支援システム１０のウェブサイトにアクセスすることができる。
【００２８】
部品選択支援システム１０は、ウェブサイトを構築するシステムサーバ２０に、記憶装置２１が接続されている。システムサーバ２０は、ＣＰＵと、ハードディスクやＲＯＭ、ＲＡＭ等の補助記憶装置と、通信網１２を介して端末１４，１６，１８と通信する送受信装置と、キーボードやマウス等の入力装置と、ディスプレイ等の表示装置などを備え、補助記憶装置に記憶されたプログラムに従って、所定の手順でデータを処理する。
【００２９】
システムサーバ２０は、ＩＣ型番入力受付部２２と、部品検索部２３と、部品リストデータ出力部２５とを備え、好ましくは、互換・代替部品検索部２４をさらに備え、より好ましくは、一括発注受付部２６をさらに備える。
【００３０】
記憶装置２１は、回路データベース２７と、部品データベース２８とを含み、好ましくは、互換・代替データベース２９をさらに含む。データベース２７，２８，２９は、それぞれ別々に構成されても、一部又は全部が共通に構成されても構わない。
【００３１】
回路データベース２７は、ＩＣ型番と、ＩＣ型番のＩＣに用いる回路を構成するために必要となる部品の部品型番及び個数とを対にして記憶している。回路データベース２７は、例えば、ＩＣメーカによって提供されている推奨回路構成及び推奨部品表に基づいて、作成される。部品データベース２８は、部品の仕様、価格、納期などの部品に関する情報を記憶している。互換・代替データベース２９は、回路データベースに記憶されている部品型番の部品と互換・代替関係がある他の部品の部品型番と、互換・代替関係の属性（小型、安価など）とを記憶している。部品データベース２８及び互換・代替データベース２９は、例えば、部品メーカから提供される情報に基づいて作成される。
【００３２】
ＩＣ型番入力受付部２２は、ユーザの端末１４からのＩＣ型番の入力を受け付ける。部品検索部２３は、回路データベース２７を検索して、ＩＣ型番入力受付部２２が入力を受け付けたＩＣ型番と対にして記憶されている部品型番及び個数を抽出する。互換・代替部品検索部２４は、互換・代替データベース２９を検索して、部品検索部２３が抽出した部品型番の部品と互換・代替関係にある他の部品の部品型番と互換・代替関係の属性とを抽出する。部品検索部２３と互換・代替部品検索部２４は、機能を分けずに一体に構成されても構わない。
【００３３】
部品リストデータ出力部２５は、部品検索部２３が抽出した部品型番及び個数に基づいて、ＩＣ型番入力受付部２２が入力を受け付けたＩＣ型番のＩＣに用いる回路を構成するために必要となる部品の部品型番及び個数を含む部品リストを作成するためのデータを、ユーザの端末１４に出力する。互換・代替データベース２９及び互換・代替部品検索部２４を備える場合、部品リストデータ出力部２５は、互換・代替部品検索部２４が抽出した他の部品の部品型番及び属性を部品リストに含めるためのデータを出力する。
【００３４】
一括発注受付部２６は、部品リストデータ出力部２５が出力したデータに基づいて作成されユーザの端末１４に表示される部品リストに含まれる部品型番について、ユーザの端末１４からの発注数量の入力を受け付ける。
【００３５】
図２はユーザ１５、部品メーカ１７、ＩＣメーカ１９及び、部品選択支援システムのウェブサイト１１の間における情報の送受信関係を示している。
【００３６】
図２に示すように、ユーザ１５とウェブサイト１１との間では、ユーザ１５からウェブサイト１１への各種問い合わせ、ＩＣ型番の入力、部品の発注が、ユーザ１５の端末１４（図１参照）を介して行われる。
【００３７】
ウェブサイト１１からユーザ１５へは、入力されたＩＣ型番の推奨部品表に対応する部品メーカ１７の取り扱う部品型番リストの提示及び一括発注ガイドの提示が行われる。ユーザ１５はウェブサイト１１から入手した型番リストに記載されている部品型番を、部品メーカ１７に対して、ウェブサイト１１を通じて一括発注することができる。ウェブサイト１１から部品メーカ１７に受注情報が伝達され、部品メーカ１７はユーザに部品を発送する。
【００３８】
部品メーカ１７は、部品メーカ１７の端末１６（図１参照）からウェブサイト１１を介して、図１に示した部品選択支援システム１０の部品データベース２８及び互換・代替データベース２９に対して、ＩＣメーカ１９がＩＣ型番ごとに提供する推奨部品表に記載されている部品仕様又は競合部品メーカの型番情報を、自社の相当型番に置き換えた最新の情報を、入力することができる。ＩＣメーカ１９は、部品メーカ１７に推奨部品表を伝達する。
【００３９】
次に、部品選択支援システム１０の動作について、図３のフローチャートを参照しながら説明する。
【００４０】
まず、ユーザは端末からウェブサイトに対して、選定したＩＣ型番を送信する。ウェブサイトは、送信されたＩＣ型番に対応した部品情報を、ユーザの端末に表示する（ステップＳ１）。部品情報として、例えば図４の説明図に示すように、部品名称、型番、部品仕様、員数（推奨回路を構成するために必要な数量）、価格、購入単位、納期、生産情報等が、ユーザの端末に表示される。
【００４１】
ウェブサイトは同時に、図５の説明図に示すような部品の性能等の設計に利用できる資料を配置する個別紹介ページへのＵＲＬリンクを送信する。
【００４２】
ユーザは、送信された部品情報から、機能、仕様、価格、納期等を確認して、所望の部品型番リストを確定する（ステップＳ２）。
【００４３】
所望の部品型番リストが確定し、試作のために部品調達が必要な段階になると、ユーザはウェブサイトが提供する一括発注ガイドに従い、発注数量を確定する。各部品の発注単位は各部品の員数の整数倍となるように自動計算されるが、ユーザは必要に応じて各部品の発注数量を調整することもできる。各部品の発注数量が確定すると、ユーザはウェブサイトに発注情報を送信する（ステップＳ３）。
【００４４】
ユーザは、納入が確認されるまでの間、ウェブサイトを通じて部品の発送状況を参照することができる（ステップＳ４）。
【００４５】
その後、納入が完了したか否かを確認して終了となる（ステップＳ５）。
【００４６】
なお、フローチャートに明記されていないが、部品型番リストが完成された時点（ステップＳ２）で、ウェブサイトを通じて部品を発注する必要がなければ動作を終了することが可能である。
【００４７】
次に、部品選択支援システム１０が、図１に示したすべての構成を備えている場合、すなわち、互換・代替部品検索部２４と、互換・代替データベース２９と、一括発注受付部２６とを備えている場合について、図６及び図７を参照しながら説明する。
【００４８】
図６は、記憶装置２１に記憶される参照テーブル２１ａの説明図である。図６に示すように、参照テーブル２１ａの部品型番・置き換え提案部品情報欄２１ｐには、部品型番と、部品型番の部品よりも小型の部品の型番（小型の提案品型番）と、部品型番の部品よりも安価な部品の型番（安価な提案品型番）とが対なっている。部品型番・置き換え提案部品情報欄２１ｐによって、互換・代替データベース２９が構成される。
【００４９】
参照テーブル２１ａの推奨情報欄２１ｑには、部品型番・置き換え提案部品情報欄２１ｐの部品型番欄の部品が推奨部品表に含まれているＩＣ型番ごとに、ＩＣ型番と、その部品を推奨回路構成で使用する員数と、その部品を使用する推奨回路構成内の回路素子の記号とが対になっている。部品型番・置き換え提案部品情報欄２１ｐの部品型番欄の部品型番と、推奨情報欄２１ｑのＩＣ型番、員数及び記号とによって、回路データベース２７と互換・代替データベース２９とが構成される。
【００５０】
ユーザの端末１４から、部品選択支援システム１０のウェブサイトにアクセスし、認証完了後に、ユーザの端末１４からＩＣ型番を入力すると、部品選択支援システム１０は、ＩＣ型番入力受付部２２がＩＣ型番の入力を受け付ける。
【００５１】
次いで、部品選択支援システム１０は、入力されたＩＣ型番の推奨回路構成に必要とされる部品の部品型番及び員数を検索する。すなわち、部品検索部２３は、記憶装置２１の参照テーブル２１ａの各行を検索し、ＩＣ型番入力受付部２２が入力を受け付けたＩＣ型番と対応する部品型番及び員数を抽出する。互換・代替部品検索部２４は、部品データベース２８及び互換・代替データベース２９を検索し、部品検索部２３が抽出した部品型番と対になっている互換・代替品について、小型の提案品型番と最も安価な提案品型番とを抽出する。
【００５２】
次いで、部品リストデータ出力部２５は、部品検索部２３及び互換・代替部品検索部２４の検索結果に基づいて、入力されたＩＣ型番の推奨回路構成に必要とされる部品の部品型番及び員数の検索結果をユーザの端末１４に表示するためのデータを、ユーザの端末１４に送信する。
【００５３】
ユーザの端末１４がブラウザソフトを介して、部品選択支援システム１０のウェブサイトにアクセスしている場合、部品選択支援システム１０は、ユーザの端末１４に検索結果を表示させるためのＨＴＬＭ形式等のデータを送信する。
【００５４】
ユーザの端末１４にインストールされたアプリケーションソフトを用いて、部品選択支援システム１０のウェブサイトにアクセスする場合には、部品リストデータ出力部２５が、ユーザの端末１４に検索結果を表示させるためのＨＴＬＭ形式等のデータの代わりに、部品検索部２３及び互換・代替部品検索部２４の検索結果のデータをユーザの端末１４に送信し、ユーザの端末１４のアプリケーションソフトによって、検索結果を表示させるためのデータを生成するように構成することも可能である。この場合、部品選択支援システム１０からユーザの端末１４に、推奨部品の部品型番とその互換・代替品の部品型番及びそれぞれサイズ・価格のデータが送信され、ユーザの端末１４のアプリケーションによって、小型の提案品型番と最も安価な提案品型番とが決定されるように構成することも可能である。
【００５５】
図７は、ユーザの端末１４に表示される検索結果の画面表示２５ａの説明図である。図７に示すように、検索対象のＩＣのＩＣ型番欄２５ｂと、検索対象のＩＣの推奨回路構成に必要な部品のＮｏ．欄２５ｐと、員数欄２５ｑと、推奨部品仕様欄２５ｒと、検索対象のＩＣの推奨回路構成において部品を使用する素子の記号欄２５ｓと、互換・代替関係の属性ごとの部品型番欄２５ｔ〜２５ｗとが表示される。
【００５６】
プランＡの部品型番欄２５ｔ欄には、検索対象のＩＣについて推奨部品表等で推奨されている部品の型番が表示される。プランＢの部品型番欄２５ｕ欄には、プランＡの部品型番欄２５ｔ欄に表示された部品と同等仕様で、プランＡの部品型番欄２５ｔ欄に表示された部品より小型である部品の型番が表示される。プランＣの部品型番欄２５ｖ欄には、プランＡの部品型番欄２５ｔ欄に表示された部品と同等仕様である部品のうち最安値の部品の型番が表示される。プランＤの部品型番欄２５ｗ欄には、プランＡ〜Ｃを選択するラジオボタンが表示される。
【００５７】
ユーザの端末１４には、検索結果の画面表示２５ａとともに、不図示のプラン選択ボタンと一括発注ボタンが表示される。ユーザの端末１４によって、プラン選択ボタン及び一括発注ボタンに対する所定の操作がされると、ユーザの端末１４には、一括発注ガイドが表示される。ユーザの端末１４において、所定の手順に従って、部品ごとの発注数量が確定された後、発注確定操作がされると、部品型番と発注数量とを含む発注情報が、ユーザの端末１４から部品選択支援システム１０に送出され、部品選択支援システム１０の一括受注受付部２６が発注情報の入力を受け付ける。
【００５８】
ユーザの端末１４には、推奨部品表の部品だけでなく、推奨部品と互換・代替可能な互換・代替部品と、その部品の互換・代替の属性とが表示されるので、ユーザは、推奨部品だけでなく互換・代替可能な部品を含めて、部品選択を容易に行うことができる。
【００５９】
部品選択支援システム１０を利用することによって、ユーザは、ＩＣの推奨回路構成に必要とされる部品について、ＩＣ型番から推奨部品、あるいは推奨部品の互換・代替部品を選択し、一括調達することができる。そのため、ＩＣを備えた機器設計において、ＩＣの推奨回路構成に必要とされる部品の選定の負荷が大幅に削減され、機器設計のスピードアップを図ることができる。また、ユーザは２４時間いつでも部品情報を入手可能であり、設計の高効率化が図れる。部品選定支援システム１０において購入可能な部品のみが、部品選定支援システム１０で検索されるようにすると、ユーザは調達ルートを意識することがなく部品を選定し、ＩＣメーカの推奨する回路構成に必要となる部品を簡単に入手することができる。
【００６０】
ＩＣメーカと部品メーカは、部品選択支援システム１０の回路データベース２７、部品データベース２８及び互換・代替データベース２９に自社のＩＣ型番や部品型番を登録することによって、部品選択支援システム１０を利用するユーザに対して、自社のＩＣや部品の販売を促進することができる。
【００６１】
＜変形例１＞
部品メーカは、ＩＣ型番ごとに提供される推奨部品表の情報をＩＣメーカと共有し、部品選択支援システム１０の回路データベース２７に、推奨部品表のデータを登録する。
【００６２】
図８は、この場合の部品メーカ１７とＩＣメーカ１９との間での情報のやりとりを示している。ＩＣメーカ１９は、常に最新の推奨部品表の情報を、部品メーカ１７に提供する。部品メーカ１７は、ＩＣメーカ１９に対して、より高機能な製品、又はより安価な製品による推奨部品表の最適化の提案を実施する。
【００６３】
ＩＣメーカ１９は、部品メーカ１７と協業して、推奨回路構成・推奨部品表を作成し更新し、部品メーカ１７が、回路データベース２７を作成し更新する。これによって、部品選択支援システムを利用するユーザ１５に対して、ＩＣメーカ１９のＩＣや、部品メーカ１５の部品の販売が促進される。
【００６４】
＜変形例２＞
部品選択支援システムが提供する部品情報に、部品の仕様変更、新しい部品の開発状況、部品の生産中止及びその予定、代替・互換品情報、前記部品が推奨されているＩＣ型番情報を含めるようにする。
【００６５】
ユーザは、部品情報を参照し、必要に応じて、部品メーカの既存部品や開発中の部品から、より小型又はより安価な製品を参照することができる。また、部品型番からＩＣ型番を逆に参照することができる。
【００６６】
＜まとめ＞  以上に説明した部品選択支援システムは、ＩＣに用いる回路を構成するために必要となる部品を容易に選択することができる。
【００６７】
なお、本発明は、上記実施の形態に限定されるものではなく、種々変更を加えて実施することが可能である。
【符号の説明】
【００６８】
１０  部品選択支援システム
１１  ウェブサイト
１２  通信網
１４  ユーザの端末
１５  ユーザ
１６  部品メーカの端末
１７  部品メーカ
１８  ＩＣメーカの端末
１９  ＩＣメーカ
２０  システムサーバ
２１  記憶装置
２１ａ  参照テーブル
２１ｐ  提案部品情報欄
２１ｑ  推奨情報欄
２２  ＩＣ型番入力受付部
２３  部品検索部
２４  互換・代替部品検索部
２５  部品リストデータ出力部
２５ａ  画面表示
２５ｂ  ＩＣ型番欄
２５ｐ  Ｎｏ．欄
２５ｑ  員数欄
２５ｒ  推奨部品仕様欄
２５ｓ  記号欄
２５ｔ〜２５ｗ  部品型番欄
２６  一括発注受付部
２７  回路データベース
２８  部品データベース
２９  互換・代替データベース
【図１】
2015055903.tif 000003
【図２】
2015055903.tif 000004
【図３】
2015055903.tif 000005
【図４】
2015055903.tif 000006
【図５】
2015055903.tif 000007
【図６】
2015055903.tif 000008
【図７】
2015055903.tif 000009
【図８】
2015055903.tif 000010
【図９】
2015055903.tif 000011
【図１０】
2015055903.tif 000012